(57)【要約】【課題】１つのコンテンツについてＨＤとＳＤとで記録できるようにする。【解決手段】まず、ＨＤストリームを光ディスク１１９のＨＤ層に記録する。そして、ＨＤ層をファイナライズするときに、ＨＤストリームをＳＤへダウンコンバートしてＳＤストリームを作成し、光ディスク１１９のＳＤ層へＳＤストリームを記録して、ＳＤ層をファイナライズするようにして、１つのコンテンツについてＨＤとＳＤとで記録されたハイブリッドディスクをユーザが容易に作成することができるようにする。【選択図】図１
2008217847.tif 000002
【特許請求の範囲】
【請求項１】
複数の記録層を持つディスク状記録媒体に画像信号を記録する記録装置であって、
入力された第１の動画像信号を用いて前記第１の動画像信号よりも低精細な第２の動画像信号を生成する生成手段と、
前記入力された第１の動画像信号を前記複数の記録層のうちの第１の記録層に記録し、前記生成手段により生成された第２の動画像信号を前記複数の記録層のうち前記第１の記録層以外の記録層に記録する記録手段とを有することを特徴とする記録装置。
【請求項２】
前記ディスク状記録媒体に記録された画像信号を再生する再生手段と、
前記第１の記録層に対して前記第１の動画像信号が記録された前記ディスク状記録媒体に対するファイナライズ処理の指示に応じて、前記ディスク状記録媒体の第１の記録層から前記第１の動画像信号を再生するよう前記再生手段を制御すると共に、前記再生手段により再生された第１の動画像信号を用いて前記第２の動画像信号を生成するよう前記生成手段を制御し、前記生成された第２の動画像信号を前記第１の記録層以外の記録層に記録するよう前記記録手段を制御する制御手段とを備えたことを特徴とする請求項１に記載の記録装置。
【請求項３】
前記生成手段は、前記第２の記録層の記録残容量に基づいて前記第２の動画像信号のレートを決定することを特徴とする請求項１または２に記載の記録装置。
【請求項４】
前記生成手段により前記第２の動画像信号の生成を実行するか否かを選択する第１の選択手段を備えたことを特徴とする請求項１〜３の何れか１項に記載の記録装置。
【請求項５】
前記ディスク状記録媒体の初期化時に、前記第１の動画像信号と共に第２の動画像信号を記録するか否かを選択する第２の選択手段を備え、
前記第２の選択手段によって前記第２の動画像信号の記録が選択されなかった場合、前記ディスク状記録媒体の全記録層に対して前記第１の動画像信号を記録するための記録方式に従って初期化することを特徴とする請求項１〜４の何れか１項に記載の記録装置。
【請求項６】
前記記録手段は、１つの記録層のみを持つディスク状記録媒体に対して動画像信号を記録可能であり、前記生成手段は、前記１つの記録層のみを持つディスク状記録媒体が装着された場合は、前記第２の動画像信号を生成しないようにすることを特徴とする請求項１〜５の何れか１項に記載の記録装置。
【請求項７】
前記第１の動画像信号は、撮像装置により撮像されて入力されることを特徴とする請求項１〜６の何れか１項に記載の記録装置。
【請求項８】
複数の記録層を持つディスク状記録媒体に画像信号を記録する記録方法であって、
入力された第１の動画像信号を用いて前記第１の動画像信号よりも低精細な第２の動画像信号を生成する生成工程と、
前記入力された第１の動画像信号を前記複数の記録層のうちの第１の記録層に記録し、前記生成工程において生成した第２の動画像信号を前記複数の記録層のうち前記第１の記録層以外の記録層に記録する記録工程とを有することを特徴とする記録方法。
【請求項９】
前記ディスク状記録媒体に記録された画像信号を再生する再生工程と、
前記第１の記録層に対して前記第１の動画像信号が記録された前記ディスク状記録媒体に対するファイナライズ処理の指示に応じて、前記ディスク状記録媒体の第１の記録層から前記第１の動画像信号を再生するよう前記再生工程における処理を制御すると共に、前記再生工程において再生した第１の動画像信号を用いて前記第２の動画像信号を生成するよう前記生成工程における処理を制御し、前記生成された第２の動画像信号を前記第１の記録層以外の記録層に記録するよう前記記録工程における処理を制御する制御工程とを備えたことを特徴とする請求項８に記載の記録方法。
【請求項１０】
前記生成工程においては、前記第２の記録層の記録残容量に基づいて前記第２の動画像信号のレートを決定することを特徴とする請求項８または９に記載の記録方法。
【請求項１１】
前記生成工程において前記第２の動画像信号の生成を実行するか否かを選択する第１の選択工程を備えたことを特徴とする請求項８〜１０の何れか１項に記載の記録方法。
【請求項１２】
前記ディスク状記録媒体の初期化時に、前記第１の動画像信号と共に第２の動画像信号を記録するか否かを選択する第２の選択工程を備え、
前記第２の選択工程において前記第２の動画像信号の記録が選択されなかった場合、前記ディスク状記録媒体の全記録層に対して前記第１の動画像信号を記録するための記録方式に従って初期化することを特徴とする請求項８〜１１の何れか１項に記載の記録方法。
【請求項１３】
前記記録工程においては、１つの記録層のみを持つディスク状記録媒体に対して動画像信号を記録可能であり、前記生成工程においては、前記１つの記録層のみを持つディスク状記録媒体が装着された場合は、前記第２の動画像信号を生成しないようにすることを特徴とする請求項８〜１２の何れか１項に記載の記録方法。
【請求項１４】
前記第１の動画像信号は、撮像装置により撮像されて入力されることを特徴とする請求項８〜１３の何れか１項に記載の記録方法。
【請求項１５】
複数の記録層を持つディスク状記録媒体に画像信号を記録するようにコンピュータに実行させるプログラムであって、
入力された第１の動画像信号を用いて前記第１の動画像信号よりも低精細な第２の動画像信号を生成する生成工程と、
前記入力された第１の動画像信号を前記複数の記録層のうちの第１の記録層に記録し、前記生成工程において生成した第２の動画像信号を前記複数の記録層のうち前記第１の記録層以外の記録層に記録する記録工程とをコンピュータに実行させることを特徴とするプログラム。
【請求項１６】
請求項１５に記載のプログラムを記憶したこと特徴とするコンピュータ読み取り可能な記憶媒体。
【発明の詳細な説明】
【技術分野】
【０００１】
本発明は記録装置、記録方法、プログラム、及び記憶媒体に関し、特に、複数の記録層を持つ記録媒体に対し、画像データを記録するために用いて好適な技術に関する。
【背景技術】
【０００２】
近年、デジタルハイビジョン放送の番組の増加や大画面ディスプレイの需要拡大に伴い、高解像度の規格（ＨＤ）の画像信号を記録するニーズが高まりつつある。ＨＤコンテンツを記録するためには高密度大容量の記録媒体が必要不可欠であり、青色レーザを利用した次世代光ディスクが開発されている。例えば、ＤＶＤ  ＦｏｒｕｍからＨＤ  ＤＶＤや、Ｂｌｕ−ｒａｙ  Ｄｉｓｃ  ＡｓｓｏｃｉａｔｉｏｎからＢｌｕ−ｒａｙディスクといった次世代ディスクが提案、規格策定されている。
【０００３】
一方、従来、ＮＴＳＣなど、標準解像度の規格（ＳＤ）の映像信号が記録されたＤＶＤビデオを再生するためのＤＶＤプレーヤが広く普及されている。そのため、この様な従来の赤色レーザを利用したＤＶＤに対して画像信号を記録するＤＶＤレコーダの需要も依然として高い。ところが、現在は、記録対象となるコンテンツがＳＤコンテンツからＨＤコンテンツへ変わる過渡期であるといえる。このため、視聴したいコンテンツがＨＤ信号であるために、従来のＤＶＤプレーヤしか所有していないユーザにとってコンテンツを視聴できないといった事象が考えられる。
【０００４】
そこで、前述した事象を考慮して次世代ディスク層（ＨＤ層）と従来のＤＶＤ層（ＳＤ層）との２層以上からなる再生専用ディスクとしてツインフォーマットディスクが提案された。これにより、ユーザはツインフォーマットディスクを利用することにより、従来のＤＶＤプレーヤではＳＤコンテンツを視聴でき、次世代ディスクプレーヤではＨＤコンテンツを視聴できるようになった。また、ＨＤとＳＤとのコンテンツが混在した光ディスク媒体を再生する技術も提案されている（例えば、特許文献１参照）。
【０００５】
【特許文献１】特開２００４−８０１９６号公報
【発明の開示】
【発明が解決しようとする課題】
【０００６】
しかしながら、特許文献１に記載の技術は、ＨＤコンテンツとＳＤコンテンツとが記録された光ディスク媒体からこれらのコンテンツを最適に再生する手段についての技術であり、１つのコンテンツについてＨＤとＳＤとで記録することはできなかった。
【０００７】
本発明は前述の問題点に鑑み、１つのコンテンツについてＨＤとＳＤとで記録できるようにすることを目的としている。
【課題を解決するための手段】
【０００８】
本発明の記録装置は、複数の記録層を持つディスク状記録媒体に画像信号を記録する記録装置であって、入力された第１の動画像信号を用いて前記第１の動画像信号よりも低精細な第２の動画像信号を生成する生成手段と、前記入力された第１の動画像信号を前記複数の記録層のうちの第１の記録層に記録し、前記生成手段により生成された第２の動画像信号を前記複数の記録層のうち前記第１の記録層以外の記録層に記録する記録手段とを有することを特徴とする。
【０００９】
本発明の記録方法は、複数の記録層を持つディスク状記録媒体に画像信号を記録する記録方法であって、入力された第１の動画像信号を用いて前記第１の動画像信号よりも低精細な第２の動画像信号を生成する生成工程と、前記入力された第１の動画像信号を前記複数の記録層のうちの第１の記録層に記録し、前記生成工程において生成した第２の動画像信号を前記複数の記録層のうち前記第１の記録層以外の記録層に記録する記録工程とを有することを特徴とする。
【００１０】
本発明のプログラムは、複数の記録層を持つディスク状記録媒体に画像信号を記録するようにコンピュータに実行させるプログラムであって、入力された第１の動画像信号を用いて前記第１の動画像信号よりも低精細な第２の動画像信号を生成する生成工程と、前記入力された第１の動画像信号を前記複数の記録層のうちの第１の記録層に記録し、前記生成工程において生成した第２の動画像信号を前記複数の記録層のうち前記第１の記録層以外の記録層に記録する記録工程とをコンピュータに実行させることを特徴とする。
【００１１】
本発明の記憶媒体は、前記のプログラムを記憶したことを特徴とする。
【発明の効果】
【００１２】
本発明によれば、入力された第１の動画像信号を用いて、前記第１の動画像信号よりも低精細な第２の動画像信号を生成し、前記第１の動画像信号を第１の記録層に記録し、前記第２の動画像信号を第１の記録層以外の記録層に記録するようにした。これにより、１つのコンテンツについて高解像度の規格のＨＤ記録と、標準解像度の規格のＳＤ記録とで記録されたハイブリッドディスクをユーザが容易に作成することができる。
【発明を実施するための最良の形態】
【００１３】
（第１の実施形態）
以下、本発明の画像記録装置をデジタルビデオカメラに適用した実施形態について、図面を参照しながら説明する。
図１は、本実施形態のデジタルビデオカメラの機能構成例を示すブロック図である。
図１に示すように、デジタルビデオカメラ１００は、撮像部１０１と、マイクロフォン１０２と、記録系回路１０３と、表示部（ＬＣＤ）１０６と、映像・音声出力部１０７と、システムコントロール部１０８とを備えている。また、操作部１０９と、再生系回路１１０と、ＨＤ／ＳＤ変換部１１４と、記録再生部１１７と、ドライブ制御部１１８とを備えている。なお、操作部１０９は、電源スイッチ、記録トリガ、再生スイッチ、停止スイッチなどのユーザインタフェースとなる部分である。
【００１４】
記録系回路１０３は、信号処理部１０４と、ＨＤエンコーダ１０５とから構成されている。また、再生系回路１１０は、ＨＤ／ＳＤ識別部１１１と、ＨＤデコーダ１１２と、ＳＤデコーダ１１３とから構成されている。さらに、ＨＤ／ＳＤ変換部１１４は、ダウンコンバータ１１５と、ＳＤエンコーダ１１６とから構成されている。また、ドライブ制御部１１８は、サーボによる回転速度や回転位相の制御、及び光ピックアップの位置制御を行い、ディスク状記録媒体である光ディスク１１９に対してデータの読み出し及び書き込みを行う。
【００１５】
次に、通常の記録モードにおける動作について説明する。
本実施形態では、通常の記録モードでは動画像をＨＤ信号として記録する。すなわち、撮像部１０１は、高精細（ＨＤ）画像信号を出力することができる。操作部１０９により記録モードがセットされ、記録トリガにより記録開始が指示されると、システムコントロール部１０８は、記録系回路１０３を制御して記録を開始する。
【００１６】
記録系回路１０３は、撮像部１０１より得られた画像データを符号化し、所定の形式にして記録再生部１１７に出力する。記録再生部１１７は記録手段として機能し、所定のファイル形式に従うヘッダなどの付加情報を符号化された画像データに付加して、記録系回路１０３から出力されるデータ列をフォーマット化する。そして、光ディスク１１９に対して記録する。
【００１７】
記録系回路１０３において、撮像部１０１から出力された画像データは信号処理部１０４に入力される。信号処理部１０４は、撮像部１０１から出力された画像データに対して符号化フォーマットに従うサブサンプルなどの処理を施し、ＨＤエンコーダ１０５に出力する。ＨＤエンコーダ１０５は、信号処理部１０４から出力された画像データをＭＰＥＧ２やＨ．２６４などの符号化方式に従ってエンコードする。
【００１８】
また、マイクロフォン１０２から出力された音声データは信号処理部１０４に入力される。信号処理部１０４は、マイクロフォン１０２から出力された音声データをデジタルデータに変換して、さらに、ノイズ抑圧や増幅等の処理を施して、ＨＤエンコーダ１０５に出力する。ＨＤエンコーダ１０５は、信号処理部１０４から出力された音声データをＭＰＥＧやＡＣ−３などの規格に従って符号化する。
【００１９】
なお、記録系回路１０３は、撮影日時やＦ値などの撮影情報を示すデータを生成してもよい。この場合、ＨＤエンコーダ１０５は、画像、音声データのファイルのヘッダあるいはフッタにこれらのメタデータを記録して、記録再生部１１７に出力する。以上のように、通常の記録モードにおける動作においては、撮像装置として機能し、以上のような手順でＨＤストリームが取得される。
【００２０】
次に、通常の再生モードの動作について説明する。
操作部１０９により再生モードがセットされると、システムコントロール部１０８は再生系回路１１０を制御して、光ディスク１１９に記録されているファイル（ストリーム）のサムネイル画像を表示部１０６に表示する。ユーザは、表示部１０６に表示されたサムネイル画像を確認する。そして、ユーザにより操作部１０９が操作されて再生を希望するファイルが選択される。システムコントロール部１０８は、再生すべきファイルが指定されると、再生系回路１１０を制御して再生中のファイルに関するメタデータの情報を表示部１０６に表示する。
【００２１】
再生系回路１１０は、記録再生部１１７より指定されたファイルを再生し、そのファイル内の画像データ、及び音声データを複合化して映像・音声出力部１０７より出力するとともに、再生された画像データを画像化して表示部１０６に表示する。
【００２２】
また、再生系回路１１０は、システムコントロール部１０８より再生を指示されると、再生リストや再生の種類を解析する。そして、記録再生部１１７により指定されたデータはＨＤ／ＳＤ識別部１１１に入力される。ＨＤ／ＳＤ識別部１１１は、再生すべきストリーム（動画像信号）がＨＤであるかＳＤであるかを識別し、識別結果によってＨＤデコーダ１１２またはＳＤデコーダ１１３にストリームを出力する。ＨＤデコーダ１１２及びＳＤデコーダ１１３は、入力されたストリームを復号し、復号されたデータを外部モニタやその他外部機器にて処理するのに適した形式に変換した後、表示部１０６または映像・音声出力部１０７に出力する。
【００２３】
以下、本実施形態におけるハイブリッドディスクの作成方法について説明する。
本実施形態のデジタルビデオカメラ１００では、片面１層のディスク以外にも、複数の記録層を持つ光ディスク１１９に対してデータを記録再生することができる。そして、複数の記録層を持つディスクに対してデータを記録する場合、通常の記録においては予め決められたＨＤ用の記録層にＨＤストリームを記録する。なお、ＨＤ層には青色レーザで記録するものとする。
【００２４】
ユーザによる操作部１０９の操作によりＨＤ層のファイナライズ（終端処理）が実行されると、ＳＤへダウンコンバートを実行するか否かを選択する旨の表示が表示部１０６に表示される。この時、操作部１０９における操作に応じて、システムコントロール部１０８は第１の選択手段として機能する。ユーザによりダウンコンバートの実行が選択されると、ＨＤ／ＳＤ変換部１１４は生成手段として機能し、光ディスク１１９に記録されたＨＤデータを再生し、低精細なＳＤデータへダウンコンバートする。ＳＤデータへダウンコンバートした結果得られたＳＤストリームは、記録再生部１１７に出力され、光ディスク１１９における、ＳＤ用の記録層に記録される。なお、ＳＤ層には赤色レーザで記録するものとする。
【００２５】
ＨＤ／ＳＤ変換部１１４では、光ディスク１１９から再生され、ＨＤデコーダ１１２によりデコードされたＨＤストリームがダウンコンバータ１１５に入力され、ＳＤデータにダウンコンバートされる。そして、ＳＤストリームに変換されて、ＳＤエンコーダ１１６により符号化される。その後、記録再生部１１７に出力され、所定の形式にて光ディスク１１９に記録される。
【００２６】
図２は、本実施形態において、ＳＤデータへダウンコンバートを行う処理手順の一例フローチャートである。
図２において、操作部１０９よりファイナライズの実行が指示されたか否かを判定する（ステップＳ２０１）。この判定の結果、ファイナライズの実行が指示されていない場合は処理を終了する。
【００２７】
一方、ステップＳ２０１の判定の結果、ファイナライズの実行が指示された場合は、ＨＤ層のファイナライズを実行する（ステップＳ２０２）。なお、ファイナライズ処理とは、光ディスク１１９に対して、管理情報など、予め決められたデータを記録することにより、本実施形態の記録再生装置以外の装置において、光ディスク１１９に記録されたデータを再生可能とするための処理である。ＨＤ層のファイナライズ終了後、本実施形態のデジタルビデオカメラ１００に装着されている光ディスク１１９が、少なくともＨＤとＳＤとを有するハイブリッドディスクであるか否かを判定する（ステップＳ２０３）。この判定の結果、装入されているデジタルビデオカメラ１００がハイブリッドディスクでない場合は、ステップＳ２１２に進む。
【００２８】
一方、ステップＳ２０３の判定の結果、装入されているデジタルビデオカメラ１００がハイブリッドディスクである場合は、ユーザによりＳＤへダウンコンバートを実行することを指示されたか否かを判定する（ステップＳ２０４）。この判定の結果、ダウンコンバートの実行を指示されなかった場合は、ステップＳ２１２に進み、ファイナライズを終了する。
【００２９】
一方、ステップＳ２０４の判定の結果、ダウンコンバートの実行を指示された場合は、ダウンコンバートの実行を開始する（ステップＳ２０５）。そして、ＨＤデコーダ１１２によりＨＤストリームをある記録単位毎にデコードする（ステップＳ２０６）。次に、ダウンコンバータ１１５によりＳＤにダウンコンバートを行う（ステップＳ２０７）。
【００３０】
次に、ＳＤエンコーダ１１６によりＳＤストリームのエンコードを実行する（ステップＳ２０８）。そして、エンコードされたＳＤストリームを光ディスク１１９のＳＤ層に記録する（ステップＳ２０９）。そして、すべてのＨＤストリームについてダウンコンバートが終了したか否かを判定する（ステップＳ２１０）。
【００３１】
この判定の結果、ダウンコンバートが終了していない場合は、ステップＳ２０６に戻る。一方、ステップＳ２１０の判定の結果、ダウンコンバートが終了した場合は、ＳＤ層のファイナライズを実行する（ステップＳ２１１）。そして、ＳＤ層のファイナライズが終了したら、ファイナライズ処理を終了し（ステップＳ２１２）、書き込み処理を全て終了する。
【００３２】
なお、図２のフローチャートでは、ハイブリッドディスクの検出（ステップＳ２０３）及びＳＤへダウンコンバートを行うか否かの判断（ステップＳ２０４）をＨＤ層のファイナライズを実行した後に行っている。しかし、ＨＤ層のファイナライズを実行する前にこれらの処理を行うようにしてもよい。すなわち、ＨＤ層のファイナライズを実行する前後の何れかにおいて、ＳＤへダウンコンバートを行うか否かの判断を行うようにすればよい。
【００３３】
また、本実施形態のデジタルビデオカメラ１００が、ＨＤストリームをＳＤへダウンコンバートする際に、撮影した動画像データの記録情報及びＳＤ層の記録残容量から最適な記録レートを決定することができるようにしてもよい。ここで、最適な記録レートとは、ＳＤ層の最終的な記録残容量がなるべく０に近づくような記録レートである。
【００３４】
前述した光ディスク１１９は、ＨＤ層は青色レーザで記録され、ＳＤ層は赤色レーザで記録されるハイブリッドディスクを想定しているが、ＨＤ層及びＳＤ層がともに赤色レーザで記録される場合も考えられる。
【００３５】
近年、ＨＤ信号をＤＶＤやメモリカードなどに記録再生するための規格として、ＡＶＣＨＤ規格が提案された。ＡＶＣＨＤ規格によれば、ＨＤ信号をＭＰＥＧ４／ＡＶＣ方式に従って符号化することで、データ量を大幅に圧縮することができる。そのため、従来の赤色レーザを用いて、ＨＤ信号を従来のＤＶＤディスクに記録することができる。
【００３６】
この場合、全層をＨＤで記録可能であるため、ディスク初期化時に全記録層をＨＤ層で記録するか、もしくはＨＤ層とＳＤ層との両方を有するハイブリッドディスクとするかをユーザに選択させる手段を設けてもよい。この場合、操作部１０９における操作に応じて、システムコントロール部１０８が第２の選択手段として機能し、全記録層をＨＤ層として利用する場合は、ＨＤの記録方式で全記録層をフォーマットする。また、１層しか持たない光ディスクが装着された場合は、ハイブリッドディスク化が不可能であるため、上記の選択は表示させないようにする。
【００３７】
また、本実施形態では、通常の撮影はＨＤで記録しかできない構成となっているが、ユーザによりＨＤ／ＳＤ撮影の選択が可能な構成にしてもよい。また、本実施形態としてデジタルビデオカメラ１００を用いているが、それに限定するものでなく、カメラ部を備えていない単なる記録装置でもよい。
【００３８】
以上のように本実施形態においては、まず、ＨＤストリームを光ディスク１１９のＨＤ層に記録する。そして、ＨＤ層をファイナライズするときに、ＨＤストリームをＳＤへダウンコンバートしてＳＤストリームを作成し、光ディスク１１９のＳＤ層へＳＤストリームを記録して、ＳＤ層をファイナライズする。これにより、１つのコンテンツについて高解像度の規格のＨＤ記録と、標準解像度の規格のＳＤ記録とで記録されたハイブリッドディスクをユーザが容易に作成することができる。
【００３９】
（本発明に係る他の実施形態）
前述した本発明の実施形態における記録装置を構成する各手段、並びに記録方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００４０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００４１】
なお、本発明は、前述した実施形態の機能を実現するソフトウェアのプログラム（実施形態では図２に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、ＯＳに供給するスクリプトデータ等の形態であってもよい。
【００４４】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００４６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４７】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４９】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５０】
【図１】本発明の実施形態におけるデジタルビデオカメラの機能構成例を示すブロック図である。
【図２】本発明の実施形態におけるハイブリッドディスクの作成手順の一例を示すフローチャートである。
【符号の説明】
【００５１】
１００  デジタルビデオカメラ
１０１  撮像部
１０２  マイクロフォン
１０３  記録系回路
１０４  信号処理部
１０５  ＨＤエンコーダ
１０６  表示部
１０７  映像・音声出力部
１０８  システムコントロール部
１０９  操作部
１１０  再生系回路
１１１  ＨＤ／ＳＤ識別部
１１２  ＨＤデコーダ
１１３  ＳＤデコーダ
１１４  ＨＤ／ＳＤ変換部
１１５  ダウンコンバータ
１１６  ＳＤエンコーダ
１１７  記録再生部
１１８  ドライブ制御部
１１９  光ディスク
【図１】
2008217847.tif 000003
【図２】
2008217847.tif 000004